(57)【特許請求の範囲】
【請求項１】
額縁状の外枠と、
前記外枠にその前面側に向かって片開き可能に軸支手段を介して支持されている本体枠と、
前記本体枠の上方寄りに係止された遊技盤と、
前記遊技盤の下方で前記本体枠に設置され、前記遊技盤の前面側に形成された遊技領域に遊技球を発射するための発射手段と、
前記本体枠にその前面側に向かって片開き可能に軸支手段を介して支持されている皿部材と、
前記皿部材の前面側に設けられ、前記発射手段に遊技球を供給する遊技球供給皿と、
前記皿部材の前面に取付けられ、前記発射手段を操作するための操作手段とを備え、
前記発射手段が前記本体枠の中心よりも左側に配設され、前記操作手段が前記本体枠の中心よりも右側に配設され、
前記発射手段は、前記操作手段を操作することにより所定の回転角の範囲内で反復運動して遊技球を下方から殴打して打ち上げる発射槌を有し、
前記発射槌の槌先の上方には、遊技球供給皿から供給される遊技球を待機させる発射球待機部が設けられ、
前記発射球待機部は、上に向かって外方に傾斜する発射レールと、該発射レールと所定距離をおいて設けられる発射球保持部材とから構成され、
前記発射球保持部材は、前記発射レールとの間隔が遊技球の直径より小さくかつ前記発射槌の槌先より大きい部位を有し、その部位において前記遊技球供給皿から供給される遊技球を待機させるとともに、該遊技球を前記発射槌の槌先によって下方から殴打可能とし、
前記遊技盤上には、前記発射手段により発射された遊技球を前記遊技領域に導く外側ガイドレールの基端部が長手方向に向かって略垂直に植設され、
前記発射球待機部と前記基端部との間には、前記発射手段により発射された遊技球が前記遊技領域に打ち込まれることなくファールになって回収されるファール球の回収口が設置され、
前記皿部材の背面側には、払出装置によって払い出される遊技球を貯留する賞球受け皿が配置され、該賞球受け皿にて貯留された遊技球が前記遊技球供給皿に排出されるとともに、前記回収口にて回収された前記ファール球が該賞球受け皿を介して前記遊技球供給皿に排出されるように構成された遊技機において、
前記賞球受け皿は、払出装置によって払い出される遊技球を受容する上部貯留部と、該上部貯留部の底部に設けられた透孔を通って降下してくる遊技球を該上部貯留部の底部下方で貯留する下部貯留部とを上下に積層して一体化した構成とされ、
前記賞球受け皿にて貯留された遊技球は前記下部貯留部を介して前記遊技球供給皿に排出されるとともに、前記回収口にて回収された前記ファール球は前記上部貯留部に受容された後に前記下部貯留部を介して前記遊技球供給受皿に排出されることを特徴とする遊技機。
【発明の詳細な説明】
【０００１】
【発明の属する技術分野】
本発明は、遊技機に関するものである。
【０００２】
【従来の技術】
従来から周知の遊技機は、図９に示すように、額縁状の外枠１０１と、その外枠１０１に、上下一対の軸支手段１０２ａ、１０２ｂを介して、前面側に向かって片開き可能に支持させた本体枠１０３と、その本体枠１０３の上方寄りに設けた開口部（図示なし）に押し込んで係止させた遊技盤１０４と、その遊技盤１０４に遊技球１０８を打ち込むために前記本体枠１０３の右側下隅部に設置した発射手段（図９には発射手段の操作手段１０５しか描かれていない）と、前記遊技盤１０４の下方において前記本体枠１０３に前面側に向かって片開き可能に支持させた皿部材１０６と、前記発射手段に遊技球１０８を供給するために前記皿部材１０６に取付けた遊技球供給皿１０７とから構成されている。
【０００３】
この遊技機においては、前記遊技球供給皿１０７から発射手段に供給された遊技球１０８は、前記皿部材１０６の背面側において前記本体枠１０３に左上がり状に傾けて固定されている案内レール１１２上を走って前記遊技盤１０４に円弧状に植設されている内側レール１０９と外側レール１１０との間のルール溝１１１に飛び移った後、主として外側レール１１０の形状に規制されながら上昇して遊技領域Ａに打ち込まれるようになっている。
【０００４】
【発明が解決しようとする課題】
この種の遊技機においては、遊技者が前記レール溝１１１の先端部から遊技領域Ａに遊技球１０８を打ち込むとき、その遊技球１０８が極力所定の狙い目に打ち込まれるよう、すなわち、遊技盤１０４上に遊技球１０８が打ち込まれてゆくとき遊技盤１０４上で描く落下軌跡Ｂがほぼ同じになるように前記操作手段１０５を調節しながら遊技を行なっている。しかしながら実際は前記落下軌跡Ｂを安定させることは難しく、その結果、遊技者からいわゆる「球飛び」が悪いと言ってそのような遊技機は嫌われる。そこで遊技機のメーカーは遊技機を出荷するに先立って遊技機毎に球飛びの良否をチェックするとともに、球飛びのよくない遊技機については発射槌が遊技球に当たるときの槌先位置や外側レールの湾曲状態を修正したり、その他球飛びに影響する要因を取り除いたりしているが、それには熟練を要するだけでなく前記要因を排除するには限度がある。
【０００５】
本発明者は、さらに球飛びに影響を与える要因を鋭意研究したところ、前記公知技術に係る遊技機において、発射された遊技球１０８が遊技領域Ａに飛び込むことなくファールとなって戻ってくるファール球を回収するために、前記外側レール１１０と前記案内通路１１２との間にファール球の回収口１１３が設けられているがこの回収口１１３の存在を無視できないと事実を見い出した。すなわち、外側レール１１０に案内されて降下してきた遊技球１０８を前記レール溝１１１から取り除いて遊技機の背部に回収するための隙間として前記回収口１１３が設けられているが、この回収口１１３に臨む前記案内通路１１２の先端と外側レール１１０の基端とを遊技球の走行に影響を与えないように位置決めしなければならないという問題がある。
【０００６】
【課題を解決するための手段】
本請求項１の発明は前記の課題を解決するために、額縁状の外枠と、前記外枠にその前面側に向かって片開き可能に軸支手段を介して支持されている本体枠と、前記本体枠の上方寄りに係止された遊技盤と、前記遊技盤の下方で前記本体枠に設置され、前記遊技盤の前面側に形成された遊技領域に遊技球を発射するための発射手段と、前記本体枠にその前面側に向かって片開き可能に軸支手段を介して支持されている皿部材と、前記皿部材の前面側に設けられ、前記発射手段に遊技球を供給する遊技球供給皿と、前記皿部材の前面に取付けられ、前記発射手段を操作するための操作手段とを備え、前記発射手段が前記本体枠の中心よりも左側に配設され、前記操作手段が前記本体枠の中心よりも右側に配設され、前記発射手段は、前記操作手段を操作することにより所定の回転角の範囲内で反復運動して遊技球を下方から殴打して打ち上げる発射槌を有し、前記発射槌の槌先の上方には、遊技球供給皿から供給される遊技球を待機させる発射球待機部が設けられ、前記発射球待機部は、上に向かって外方に傾斜する発射レールと、該発射レールと所定距離をおいて設けられる発射球保持部材とから構成され、前記発射球保持部材は、前記発射レールとの間隔が遊技球の直径より小さくかつ前記発射槌の槌先より大きい部位を有し、その部位において前記遊技球供給皿から供給される遊技球を待機させるとともに、該遊技球を前記発射槌の槌先によって下方から殴打可能とし、前記遊技盤上には、前記発射手段により発射された遊技球を前記遊技領域に導く外側ガイドレールの基端部が長手方向に向かって略垂直に植設され、前記発射球待機部と前記基端部との間には、前記発射手段により発射された遊技球が前記遊技領域に打ち込まれることなくファールになって回収されるファール球の回収口が設置され、前記皿部材の背面側には、払出装置によって払い出される遊技球を貯留する賞球受け皿が配置され、該賞球受け皿にて貯留された遊技球が前記遊技球供給皿に排出されるとともに、前記回収口にて回収された前記ファール球が該賞球受け皿を介して前記遊技球供給皿に排出されるように構成された遊技機において、
前記賞球受け皿は、払出装置によって払い出される遊技球を受容する上部貯留部と、該上部貯留部の底部に設けられた透孔を通って降下してくる遊技球を該上部貯留部の底部下方で貯留する下部貯留部とを上下に積層して一体化した構成とされ、前記賞球受け皿にて貯留された遊技球は前記下部貯留部を介して前記遊技球供給皿に排出されるとともに、前記回収口にて回収された前記ファール球は前記上部貯留部に受容された後に前記下部貯留部を介して前記遊技球供給受皿に排出されることを特徴としている。
【００１５】
【発明の実施の形態】
次に図面を参照しながら、本発明の最も好ましい実施形態についてまず説明する。この実施形態に係る弾球遊技機は、図１、図２、図３及び図４に示すように、額縁状木製外枠１と、該外枠１の下部前面に打ち付けられた前面板２１と前記外枠１と前面板２１のそれぞれに取り付けられた上下一対の軸支手段２２ａ、２２ｂを介して、遊技機の前面側に片開き可能に軸支されたほぼ額縁状の本体枠２等の主構成要素からなる骨格構造を有している。なお、前記本体枠２のうちその厚み方向前面側部分は、前記外枠１の前面を覆うように前面側に露出しているが、同じく厚み方向背面側部分は前面側部分より僅かに横幅が狭くなって前記外枠１の内方に嵌め込まれる形状になっている。
【００１６】
さらに前記本体枠２の上部寄りにおいて前面側にはガラス扉２３が片開き可能に軸支手段２４を介して本体枠２に取付けられており、その内側に取付けたガラス枠２５に二重のガラスＧが嵌め込まれている。前記ガラス扉２５の下方において本体枠２には、皿部材８が軸支手段（図示なし）により片開き可能に取付けられていて、その前面側に発射手段（後述）に対して遊技球を供給する舟形状の遊技供給皿９が固定されているのに対して、背面側に該遊技球供給皿９に連通する賞球受け皿１５がそれぞれ固定されている。
【００１７】
前記遊技球供給皿９の前面左側には球貸スイッチ７１ａが設けられており、遊技機に隣接して設置されている球貸ユニット７２に所定の硬貨を投入した後、前記球貸スイッチ７１ａを押すと、供給樋７３から遊技球供給皿９に対して遊技球が供給されるようになっている。また前記球貸スイッチ７１ａの下方には返却スイッチ７１ｂが設けられており、硬貨が球貸ユニット７２に投入された後であつても球貸しが行なわれる前に前記スイッチ７１ｂを押せば球貸ユニット７２に投入した硬貨を返却して貰えるようになっている。
【００１８】
前記遊技球供給皿９の上面は、図５に示すように、前記球貸ユニット７２の供給樋７３から供給される遊技球５が流下する流下樋部２６、その流下樋部２６から流れ落ちた遊技球５を一時的に貯留して方向変換させる貯留部２７、その貯留部２７から転がり落ちる遊技球５を最終的に1列に整列させて発射手段に供給する整列樋部２８が形成されているとともに、前記流下樋部２６と整列樋部２８との間には後者に下端が迫り出している傾斜面部２９が設けられている。この傾斜面部２９は遊技球供給皿９内に多くの遊技球５が入れられたとき絶えず整列樋部２８に遊技球５を流下させる作用をする。なお、前記遊技球供給皿９の略中央の底面部にはシャッター３０が設けられており、遊技球供給皿９内の遊技球５を機外に排出可能になっているが、前記シャッター３０ではそれより下流にある前記整列樋部２８内の遊技球５を排出できないので、その遊技球５の排出に備えて前記整列樋部２８の最下流部にももう１個のシャッター（図示なし）が設けられている。これらのシャッターは遊技球供給皿９の前面側下部に露出しているシャッターつまみ３１，３２を操作することにより開閉可能になっている（図１を参照）。
【００１９】
他方、前記賞球受け皿１５は、後述するように発射手段を遊技機の特定の部位に偏在させたために本体枠２の下部を省スペース化できるようになった結果として、皿部材８の背面側に設けられたもので、皿部材８の前面側に上下２個の受け皿を設けた従来技術とこの点において顕著に相違する。前記賞球受け皿１５は、図６に示すように、後述するようファール球や遊技で得た賞球５ａ等の遊技球５を本体枠２から受容する上部貯留部１６と、その上部貯留部１６に入った遊技球５を下方で貯留する下部貯留部１７とからなっている。
【００２０】
従って、上部貯留部１６に受け入れられた遊技球５の殆どは、底部３３に一旦貯留された後、その底部３３に設けた透孔３４を通って下部貯留部１７に降下して行くが、賞球５ａが本体枠２から排出される排出口（図示なし）の直下に前記透孔３４を設けた場合は、賞球５ａは前記底部３３に蓄えられることなく透孔３４内に直接飛び込んで下部貯留部１７に貯留される。前記下部貯留部１７において皿部材8の側面には排出口３５が形成されており、下部貯留部１７に貯留された遊技球５はその排出口３５から遊技球供給皿９内に排出される。また、前記上部貯留部１６には遊技球５の存在を感知する溢れ球検知器１８が設けられており、遊技球５を下部貯留部１７から遊技球供給皿９内に排出している過程で遊技球供給皿９内の遊技球５が邪魔をし、終には遊技球５が下部貯留部１７及び上部貯留部１６内に一杯になったとき、前記溢れ球検知器１８が作動して発射手段を一時的に不能にするようになっている。
【００２１】
前記本体枠１の上方寄りには、図２に示すように、横断面略四角形状の開口部３が設けられており、その開口部３の前面側に周設した段差状の係止部３ａにおいて点在する複数個所、好ましくは４隅部にフック部材２０が植設されている。そして前記係止部３ａに、図３に示すように、略方形をなす遊技盤４が押し込まれて係止されるが、この遊技盤４において前記フック部材２０の取付け位置に対応する部位には、半長楕円形の切欠き１９が形成されている（図３においてはこの切欠き１９は遊技盤４の右上隅部にしか描かれていない）。さらにそれらの切欠き１９を塞ぐように、前記係止部２０の頭部２０ａを挿通可能な挿通孔３６を中央部に有する当て板片３７が前記遊技盤４の４隅部に貼り付けられている（図３において前記当て板片３７は遊技盤４の右下部と左上部にしか描かれていない）。前記本体枠２の係止部３ａに遊技盤４を係止させる場合、本体枠２の前面側から背面側に向かって遊技盤４を略垂直にした状態で本体枠２に押し付けながら、前記当て板３７の挿通孔３６にフック部材２０の頭部２０ａを挿通する。次いで前記頭部２０ａを９０度回動させれば、遊技盤４は本体枠２に係止かつ保持される（図３において、遊技盤４の左上隅部が本体枠２に係止された状態で描かれている）。
【００２２】
次に前記遊技盤４の構造について説明すると、この遊技盤４はほぼ正方形をなす装飾された合板からなり、その左下隅部から上部まで延びる逆Ｊ字形の外側ガイドレール１４がその基端部１４ａを略垂直にして取付けられている。前記外側ガイドレール１４の先端には、遊技球５の方向を変えてそれを遊技盤４の内方に落下させるための衝突部材３８が連接されており、さらにこの衝突部材３８から内側ガイドレール３９が円弧状かつ螺旋状に湾曲して前記基端部１４ａ近くまで延び、前記外側レール１４と内側レール３９の先端部との間に遊技球５が通るガイド溝４０が形成されている。そして、前記内外側ガイドレール３９、１４、遊技盤４及び前記ガラス枠２３のガラスＧ間の空間からなる遊技領域Ａが形成されている。なお、前記遊技盤４の下方において前記内側ガイドレール３９の外側には上面中央部が窪んだ台形状のレール飾り４１が取付けられて、前記遊技盤４を装飾しているとともに、その外側面は後述する案内通路の壁面を形成している。また内側ガイドレール３９の先端にはファール球の制止部材４２が取付けられている。
【００２３】
前記遊技盤４において中央上部には遊技球５の振分体４３が取り付けられており、前記ガイド溝４０を通って遊技領域Ａに打ち込まれた一部の遊技球５は前記振分体４３に衝突して左右に振り分けられ、残りの遊技球５は振分体４３に衝突することなくその左右側に落下するようになっている。さらに前記遊技盤４上において前記振分体４３の直下には、比較的大きな横幅を有する可変表示装置４４が設けられており、その直下に設けられている始動口４５に遊技球５が入ったとき、所定時間可変表示して停止するようになっている。
【００２４】
同様に前記可変表示装置４４の斜め上方の外側には一対のランプ風車４６ａ、４６ａが、そして斜め下方の外側には一対の風車４７ａ、４７ａがそれぞれ配設されていて、遊技者が落下してゆく遊技球５の経路の予測を不能にしている。風車４７ａ、４７ｂの下方において前記始動口４５寄りには、一対の図柄作動ゲート４８ａ、４８ａが配設され、それらを遊技球５が通過すると、前
記可変表示装置４４の上部中央に設けられている普通図柄表示装置４９の図柄、例えば「−、１、３、５、７」等の図柄が特定時間だけ可変表示される。
【００２５】
前記図柄作動ゲート４８ａ、４８ａの下方の外方には一対の上部入賞口５０ａ、５０ｂが取り付けられており、遊技球５が入賞したとき、それが検知手段（図示なし）により検知されて後述する遊技制御基板の制御司令により、特定の数の遊技球が賞球５ａとなって前記賞球受け皿１５に排出される。
【００２６】
前記始動口４５の下方には横幅の比較的大きい可動入賞装置５１が設けられており、前記可動表示装置４４の特別図柄が特定の組合わせになって停止して「当たり」になったときは、可動入賞装置５１のシャッター５２が所定時間開いて遊技球５が同装置５１内に入るチャンスが増大するようになっている。また可動入賞装置５１内において前記シャッター５２の裏側には特定領域が設けられており、その特定領域に遊技球５が通過したときは、前記シャッター５２が閉止した後に再度所定時間シャッター５２を開放する特典が発生するようになっている。前記可動入賞装置５１の両側には一対の下部入賞口５３ａ５３ｂが設けられており、それらは前記上部入賞口５０ａ、５０ａと同様の機能をしている。
【００２７】
前記遊技盤４において種々の部品間には多数本の障害釘５４が植設されており、それらの障害釘５４の間を縫って降下してゆく遊技球５が、前記ゲートや入賞口等に入賞しなかったとき、アウト球として遊技盤４の中央下部に設けられているアウト球排出口５５から遊技機の後方に排出されるようになっている。なお、前記遊技領域Ａにおいて遊技盤４の中央部両側には一対のサイドランプ５６ａ、５６ｂが設けられている。
【００２８】
前記遊技盤４の左側下隅部Ｃにおいて前記レール飾り４１の外側面５７は、上に行くにつれて遊技盤４の外方に傾く傾斜面になっており、前記外基端部１４ａとともに上にゆくにつれて徐々に幅狭になるガイド溝４０の一部分を構成している。また、遊技盤４の左側下隅部は角取りされており、その角取りされた領域にファール球５ｂの回収口１３が本体枠２から立上がり形成されている。
【００２９】
前記本体枠２において遊技盤４が取付けられている個所の下方寄り部分は、上方寄り部分のように遊技盤４を取付けてその背面側を外方に開放する開口部３が存在せず、単に設計上凹凸加工された非開口部６となっている。そしてこの非開口部６の右側にはスピーカ５８が取付けられているとともに、同じく左側には発射手段７が設けられているのに対して、右側においてしかも前記皿部材８の前面には、前記発射手段７を操作するための操作手段１２が設けられており、遊技機の前面側から前記発射手段７と操作手段１２を見た場合、それらは左右相対峙した位置に見える。
【００３０】
前記発射手段７は公知の構造をなしており、図７に示すように、例えばトルクモータ（図示）と、モータの回転軸７５に取付けられた発射槌５９とからなり、前記操作手段１２を回動操作することにより前記発射槌５９は矢印Ｅで示すように所定の回動角の範囲内で反復回動運動をするようになっている。そして、前記発射手段７の発射槌５９が遊技球５を打球するために鎖線で示すように右周りに最大に回動したとき、その打球先である槌先６１は、前記遊技球供給皿９の供給端部６２から供給された遊技球５を１個ずつ待機させるための発射球待機部６３の基端部に臨むようになっており、そこで前記遊技球５を殴打する。なお、前記操作手段１２の回動操作信号は皿部材８の背面から本体枠２の背面に配線される信号線により前記背面に設置されている発射制御基板で処理され、信号線６０によりトルクモータに送信される（図３を参照）。なお、前記発射球待機部６３は、前記モータを収容する筐体７６の側面において上に向かって外方に傾斜するように固定された発射レール７７と、同じく前記側面に前記レール７７から所定距離をおいて傾斜下面に下方に窪んだ凹部７８を有する発射球保持部材７９とから構成されている。前記発射球保持部材７９において、前記凹部７８の下流側下面８０と前記発射レール７７との間隔は遊技球５の直径より小さく前記槌先６１の外径より大きくなっており、前記凹部７８の上流側下面８１と前記発射レール７７との間隔は、発射槌５９で殴打された遊技球５の円滑な発射を妨げない程度に調整されている。
【００３１】
次に、前記遊技盤４の左下部Ｃ寄りにおいて前記非開口部６には、図３、図５に示すように、全体的に垂直方向から僅かに上に向かって外方に傾く樋状の案内通路１０が設けられており前記発射球待機部６３で殴打された遊技球５が前記ガイド溝４０に向かって発射されるようになっている。なお、前記案内通路１０は非開口部６の垂直壁６４と、その非開口部６において突条形成された一対の相対向するリブ６５、６６の壁面と、前記リブ６５，６６を覆う被覆部材（図示なし）を以って先端にゆくにつれて断面が拡大する角筒状に形成されている。
【００３２】
本発明においては上記態様の他に前記案内通路１０と発射球待機部６３とを任意の高さ位置で接続したり、前記案内通路１０の基端部を槌先６１が最大に回動する高さ位置までに下方に延ばして、その基端部に遊技球５を待機させることにより、案内通路１０の基端部に発射槌５９の槌先６１を臨ませる態様にしたりしてもよい。要は、発射槌５９で殴打された遊技球５が発射球となって略垂直に打ち上げられるよう、前記案内通路１０を構成すればよいのである。このように形成された案内通路１０の開口１０ａは、遊技盤４における前記レール飾り４１の外側面５７と回収口１３の外面とによって形成される延長路１１に連接され、前記案内通路１０が延伸された構造になっている。
【００３３】
次に本発明に係る遊技機の裏面において本体枠２には、図４に示すように、機外から供給される遊技球５を貯留する貯留タンク６７、その貯留タンク６７から遊技球５を順次配列・降下させるタンクレール、そのタンクレールを通過した遊技球５に変位抵抗を与えて降下させるカーブ樋等の上部流下樋６８ａ、その上部流下樋６８ａから遊技の内容に応じて遊技球５を賞球として計数しながら払出す払出装置等の払出経路部材が順次連結形成されている。上部払出経路から流下した賞球５ａは、前記払出装置に連接されている下部流下路６８ｂを降下して前記賞球受け皿１５に排出される。また、前記本体枠２には公知技術と同様に、可変表示制御基板６９、遊技制御基板７０その他の制御基板が取付けられ、遊技の制御が可能になっている。
【００３４】
上記のように構成される遊技機の作用・効果について述べると、球貸ユニット７２に硬貨を投入して、その供給樋７３から所定個数の遊技球５を遊技球供給皿９に供給する。遊技球５は流下樋部２６を流下して貯留部２７で方向変換し整列樋部２８に整列しながら流下し、前記供給端部６２から発射球待機部６３に供給される。この状態になったら遊技者が右手で操作手段１２を回動させて発射手段７を始動させる。
【００３５】
すると打球槌５９は発射球待機部６３において遊技球５を殴打するので、遊技球５は発射球待機部６３から前記案内通路１０を通って延長路１１内を誘導され、やがて上方にゆくにつれて内方に緩やかに湾曲したガイド溝４０に導かれて遊技領域Ａに打ち込まれる。このようにして遊技が続けられる過程で、操作手段１２の回動量によっては遊技球５は制止部材４２を押しのけることができずにファール球５ｂとなってガイド溝４０内を降下する。
【００３６】
ところが外側ガイドレール１４の基端部１４ａが略垂直に遊技盤４上に植設されているとともに、前記内側ガイドレール３９の下側に取付けられているレール飾り４１の外側面５７は下方に行くにつれて内方に傾斜しているのでファール球５ｂは前記外側ガイドレール１４やレール飾り４１の外側面５７にほとんど干渉されることなく垂直方向に自然落下する。前記基端部１４ａの下方において前記ガイド溝４０の直下には回収口１３が開口しているので、ファール球５ａはその回収口１３に受け取られて本体枠２内を流下し、賞球受け皿１５の上部貯留部１６に入る。もし上部貯留部１６に遊技球５が一杯になっていなければ遊技球となった賞球５ａは下部貯留部１７からその排出口３５より遊技球供給皿９内に入り遊技に供される。
【００３７】
また、前記発射手段７と回収口１３とを相互に近づけて前記遊技盤４の左下隅部Ｃ寄りに偏在させたので、従来技術と異なり、前記本体枠２に対して前記案内通路１０を横断させなくてもよいだけでなく、前記回収口１３が案内通路を遮断するように設けなくてもよいことになる。その結果、遊技球５が走行する案内通路１０の長さをより短くでき、それだけ球飛びの良否に影響する要因を少なくできるという効果を発揮する。また、従来技術で本体枠２において案内通路１０が横断することにより占有されていたスペースが有効に利用できる。本発明では皿部材８の背面側に賞球受け皿１５を設けて前記スペースを利用して収納できるようにしたので、従来技術のように遊技機の前面側に皿部材８や本体枠２に上下二つの大がかりな受け皿を設置しなてもよく１個で済み、省資源化に寄与するという効果も発揮する。
【００３８】
さらに、前記案内通路１０を、前記ファール球５ｂの略垂直落下を妨げない程度に、垂直方向から上に向かって僅かに外方に傾斜させたので、案内通路１０中を通る遊技球５の走行距離を従来技術の湾曲した走行距離より著しく短くでき、その結果、本発明は、発射された遊技球５が外側ガイドレール１４の影響を受け難くできるという効果を発揮する。この効果が前記発射手段７とファール球５ｂの回収口１３を非開口部６に偏在させた効果と相俟って、球飛びの乱れを一層抑制可能になる。
【００３９】
前記回収口１３の開口１３ａを前記案内通路１０の開口１０ａより上に位置位置するようにしたので、前記開口１０ａをより下位に設けた場合に比較してファール球５ａの処理を迅速にでき、その結果発射された遊技球５との衝突頻度を低減できる。
【００４０】
前記遊技盤４を本体枠２の前面側から背面側に向かって本体枠２に、しかも一方的に押し付けて係止できるように、特定の切欠き１９とその切欠き１９に挿通可能なフック部材２０とを利用するとともに、ファール球５ｂの回収口１３を本体枠２に形成したので、本体枠２の背面側に種々の部品や装置が取付けられている遊技機においても、それらの部品等をそのままにして遊技盤４だけを容易に交換できる。
【００４１】
本発明はその根本的技術思想を踏襲し発明の効果を著しく損なわない限度において、前記実施形態の一部分を変更して、例えば、次のように実施することができる。
（１）ファール球５ｂの回収口１３と発射手段７とを本体枠２の右下隅部Ｄ２に設けることもできるし、発射手段７とその操作手段１２を同一下隅部に設けることもできる。
（２）遊技盤４の下隅部Ｃにおける回収口１３の外壁面とレール飾り４１の外壁面５７との間に形成される延長路１１を案内通路１０と一体的に構成してもよいし、前記回収口１３、案内通路１０及び前記延長路１１を一体的に構成してもよい。
（３）遊技球供給皿９に対する遊技球５の供給は、球貸ユニット７２に硬貨を投入してから開始する態様を、図８に示すように、カードユニット８１にカードを入れて開始する態様にしてもよい。この態様にあってはその時点でのカードの有価に応じた個数の遊技球５を前記払出手段から下部流下路６８に払い出すよう前記制御手段から指示される。従ってこの態様においては、最初、遊技球５は賞球受け皿１５に受け入れられ、その排出口３５から遊技球供給皿９に供給される。
（４）前記レール飾り４１の外側面５７を延長路１１又はガイド溝４０の一部分とすることなく内側ガイドレール３９のように別部材で形成することもできる。
【図面の簡単な説明】
【図１】本発明に係る遊技機の正面図である。
【図２】ガラス扉を片開きするとともに遊技盤を取り外した状態で示す本発明に係る遊技機を正面図である。
【図３】ガラス枠と皿部材とを片開きした状態で示す本発明に係る遊技機の部分破断正面図である。
【図４】本発明に係る遊技機の部分破断側面図である。
【図５】本発明に係る遊技機の要部を示す破断斜視図である。
【図６】本発明に係る賞球受け皿を部分的に破断して示す斜視図である。
【図７】本発明に係る発射手段と発射球待機部の配置状態を示す配置図である。
【図８】本発明の別の形態に係る遊技機の正面図である。
【図９】従来技術にかかる遊技機の部分破断正面図である。
【符号の説明】
１      外枠
２      本体枠
４      遊技盤
５      遊技球
５ａ    賞球
５ｂ    ファール球
７      発射手段
８      皿部材
９      遊技球供給皿
１０    案内通路
１０ａ  開口
１３    回収口
１４    外側ガイドレール
１４ａ  基端部
１５    賞球受け皿
１６    上部貯留部
１７    下部貯留部
１８    溢れ球検知器
１９    切欠き
２０    フック部材
Ａ      遊技領域
Ｃ      下隅部
Ｄ１    右隅部
Ｄ２    左隅部。
【図１】
0003988867.tif 000002
【図２】
0003988867.tif 000003
【図３】
0003988867.tif 000004
【図４】
0003988867.tif 000005
【図５】
0003988867.tif 000006
【図６】
0003988867.tif 000007
【図７】
0003988867.tif 000008
【図８】
0003988867.tif 000009
【図９】
0003988867.tif 000010